(57)【要約】【課題】安定して印加回路を制御することができる画像形成装置及び画像形成装置の制御方法を提供する。【解決手段】画像形成装置は、帯電器の電圧と逆極性の電圧Ｖｔを印加する第１印加部、及び、第１印加部に直列に接続され、帯電器の電圧と同極性の電圧Ｖｂを印加する第２印加部を有し、転写器に接続された印加回路と、制御部とを備える。制御部は、帯電器に第１帯電電圧Ｖｃ１を印加するとき、印加回路に流れる電流Ｉに基づく制御値で第１印加部から電圧Ｖｔを印加する第１制御と、帯電器に印加する帯電電圧Ｖｃを第１帯電電圧Ｖｃ１から第２帯電電圧Ｖｃ２に変化させたとき、第１印加部の制御値を固定し、印加回路に流れる電流Ｉに基づく制御値で第２印加部から電圧Ｖｂを印加する第１抑制制御と、第１抑制制御の後、第１印加部の制御値を固定値から印加回路に流れる電流Ｉに基づく制御値に切り替え、第２印加部の制御値を固定する第２制御と、を実行する。【選択図】図３
2018136425.tif 000002
【特許請求の範囲】
【請求項１】
現像剤を担持する感光体と、
前記感光体を帯電させる帯電器と、
前記感光体上の現像剤を転写媒体に転写する転写器と、
前記帯電器の電圧と逆極性の電圧を印加する第１印加部、及び、前記第１印加部に直列に接続され、前記帯電器の電圧と同極性の電圧を印加する第２印加部を有し、前記転写器に接続された印加回路と、
制御部と、を備え、
前記制御部は、
前記帯電器に第１帯電電圧を印加するとき、前記印加回路に流れる電流に基づく制御値で前記第１印加部から電圧を印加する第１制御と、
前記帯電器に印加する帯電電圧を前記第１帯電電圧から第２帯電電圧に変化させたとき、前記第１印加部の制御値を固定し、前記印加回路に流れる電流に基づく制御値で前記第２印加部から電圧を印加する第１抑制制御と、
前記第１抑制制御の後、前記第１印加部の制御値を固定値から前記印加回路に流れる電流に基づく制御値に切り替え、前記第２印加部の制御値を固定する第２制御と、を実行することを特徴とする画像形成装置。
【請求項２】
前記制御部は、前記帯電器に前記第１帯電電圧の印加を開始するとき、前記第１制御の前に、前記印加回路に流れる電流に基づく制御値で前記第２印加部から電圧を印加する第２抑制制御を実行し、前記第１制御を開始するときに、前記第２印加部の制御値を固定することを特徴とする請求項１に記載の画像形成装置。
【請求項３】
記憶手段をさらに備え、
前記制御部は、前記第１抑制制御を開始するとき、前記第１印加部の制御値を前記記憶手段に記憶し、前記第２制御を開始するとき、前記第２印加部の制御値を前記記憶手段に記憶することを特徴とする請求項１または請求項２に記載の画像形成装置。
【請求項４】
前記制御部は、前記第１抑制制御において、前記印加回路に流れる電流が第１所定値となるように前記第２印加部の制御値を変更することを特徴とする請求項１から請求項３のいずれか１項に記載の画像形成装置。
【請求項５】
前記制御部は、前記第１制御において、前記印加回路に流れる電流が第２所定値となるように前記第１印加部の制御値を変更し、前記第２制御において、前記印加回路に流れる電流が第３所定値となるように、前記第１印加部の制御値を変更することを特徴とする請求項１から請求項４のいずれか１項に記載の画像形成装置。
【請求項６】
前記印加回路とグランドの間に抵抗が設けられ、
前記制御部は、前記印加回路と前記抵抗の間の電位から前記印加回路に流れる電流を取得することを特徴とする請求項１から請求項５のいずれか１項に記載の画像形成装置。
【請求項７】
現像剤を担持する感光体と、前記感光体を帯電させる帯電器と、前記感光体上の現像剤を転写媒体に転写する転写器と、前記帯電器の電圧と逆極性の電圧を印加する第１印加部、及び、前記第１印加部に直列に接続され、前記帯電器の電圧と同極性の電圧を印加する第２印加部を有し、前記転写器に接続された印加回路と、を備える画像形成装置の制御方法であって、
前記帯電器に第１帯電電圧を印加するとき、前記印加回路に流れる電流に基づく制御値で前記第１印加部から電圧を印加する第１制御と、
前記帯電器に印加する帯電電圧を前記第１帯電電圧から第２帯電電圧に変化させたとき、前記第１制御部の制御値を固定し、前記印加回路に流れる電流に基づく制御値で前記第２印加部から電圧を印加する第１抑制制御と、
前記第１抑制制御の後、前記第１印加部の制御値を固定値から前記印加回路に流れる電流に基づく制御値に切り替え、前記第２印加部の制御値を固定する第２制御と、を実行することを特徴とする画像形成装置の制御方法。
【発明の詳細な説明】
【技術分野】
【０００１】
本発明は、転写器に接続された印加回路を備える画像形成装置、及び、画像形成装置の制御方法に関する。
【背景技術】
【０００２】
従来、画像形成装置において、転写器に接続された印加回路を制御して、帯電された感光体から転写器を介して印加回路に流入電流が流れ込むのを抑え、流入電流により印加回路の動作が不安定になるのを抑えるように構成されたものが知られている。
【０００３】
例えば、特許文献１で開示されている画像形成装置では、印加回路が、現像剤の極性と逆極性の第１電圧を発生させる第１印加部と、第１印加部に直列接続され、現像剤の極性と同極性の第２電圧を発生させる第２印加部とを有している。そして、印字指令が入力されて感光体が帯電器により帯電されたときに、まず、印加回路に流れる電流がゼロになるように、第２印加部に電圧を発生させる流入電流制御を行うようになっている。流入電流制御の後は、第２印加部に発生させる電圧を固定し、第１印加部に電圧を発生させる制御を行う。これにより、感光体から流入電流が流れこむのを抑え、印加回路を安定させることができる。
【先行技術文献】
【特許文献】
【０００４】
【特許文献１】特開２０１１−２１５２６２号公報
【発明の概要】
【発明が解決しようとする課題】
【０００５】
ところで、上述した技術において、第１印加部が電圧を発生させた後、帯電器に印加する電圧を変化させると、流入電流が変化するため、印加回路の動作が不安定になるおそれがあった。
【０００６】
そこで、本発明は、帯電器の電圧が変化して感光体からの流入電流が変化する場合であっても、安定して印加回路を制御することができる画像形成装置及び画像形成装置の制御方法を提供することを目的とする。
【課題を解決するための手段】
【０００７】
前記した目的を達成するため、本発明の画像形成装置は、現像剤を担持する感光体と、感光体を帯電させる帯電器と、感光体上の現像剤を転写媒体に転写する転写器と、帯電器の電圧と逆極性の電圧を印加する第１印加部、及び、第１印加部に直列に接続され、帯電器の電圧と同極性の電圧を印加する第２印加部を有し、転写器に接続された印加回路と、制御部と、を備えている。
制御部は、帯電器に第１帯電電圧を印加するとき、印加回路に流れる電流に基づく制御値で第１印加部から電圧を印加する第１制御と、帯電器に印加する帯電電圧を第１帯電電圧から第２帯電電圧に変化させたとき、第１制御部の制御値を固定し、印加回路に流れる電流に基づく制御値で第２印加部から電圧を印加する第１抑制制御と、第１抑制制御の後、第１印加部の制御値を固定値から印加回路に流れる電流に基づく制御値に切り替え、第２印加部の制御値を固定する第２制御と、を実行する。
【０００８】
このように構成された画像形成装置によれば、第１制御を行っているときに、帯電器の電圧が変化すると、流入電流に基づいた第１抑制制御が実行されるので、帯電器に印加される電圧が変わることで、感光体の表面電位が変化しても、流入電流の変化を抑え、安定して転写器の電圧を制御することができる。
【０００９】
また、前記した目的を達成するため、本発明の画像形成装置の制御方法は、現像剤を担持する感光体と、感光体を帯電させる帯電器と、感光体上の現像剤を転写媒体に転写する転写器と、帯電器の電圧と逆極性の電圧を印加する第１印加部、及び、第１印加部に直列に接続され、帯電器の電圧と同極性の電圧を印加する第２印加部を有し、転写器に接続された印加回路と、を備える画像形成装置の制御方法であり、帯電器に第１帯電電圧を印加するとき、印加回路に流れる電流に基づく制御値で第１印加部から電圧を印加する第１制御と、帯電器に印加する帯電電圧を第１帯電電圧から第２帯電電圧に変化させたとき、第１制御部の制御値を固定し、印加回路に流れる電流に基づく制御値で第２印加部から電圧を印加する第１抑制制御と、第１抑制制御の後、第１印加部の制御値を固定値から印加回路に流れる電流に基づく制御値に切り替え、第２印加部の制御値を固定する第２制御と、を実行する。
【００１０】
このように構成された画像形成装置の制御方法によれば、第１制御を行っているときに、帯電器の電圧が変化すると、流入電流に基づいた第１抑制制御が実行されるので、帯電器に印加される電圧が変わることで、感光体の表面電位が変化しても、流入電流の変化を抑え、安定して転写器の電圧を制御することができる。
【発明の効果】
【００１１】
本発明によれば、帯電器の電圧が変化して感光体からの流入電流が変化する場合であっても、安定して印加回路を制御することができる。
【図面の簡単な説明】
【００１２】
【図１】本発明の一実施形態に係るレーザプリンタの概略構成を示す図である。
【図２】制御部及び印加回路を示す回路図である。
【図３】帯電電圧、転写ローラと対向する位置での感光ドラムの表面電位、転写ローラに印加される電圧、転写バイアス印加回路が発生する電圧、逆バイアス印加回路が発生する電圧、及び、印加回路に流れる電流の変化を示すタイミングチャートである。
【発明を実施するための形態】
【００１３】
次に、本発明の一実施形態について、適宜図面を参照しながら詳細に説明する。なお、以下の説明では、画像形成装置の一例としてのレーザプリンタ１の概略構成について説明した後、本発明の特徴部分について説明する。
【００１４】
また、以下の説明において、方向は、レーザプリンタ１を使用するユーザを基準にした方向で説明する。すなわち、図１における右側を「前」、左側を「後」とし、手前側を「左」、奥側を「右」とする。また、図１における上下方向を「上下」とする。
【００１５】
図１に示すように、レーザプリンタ１は、本体ケーシング２と、転写媒体の一例としての用紙Ｓを供給する給紙部３と、露光器５と、用紙Ｓ上にトナー像を転写するプロセスカートリッジ１０と、用紙Ｓ上のトナー像を熱定着する定着器８と、印加回路１００とを主に備えている。
【００１６】
給紙部３は、本体ケーシング２内の下部に設けられ、給紙トレイ３１と、用紙押圧板３２と、給紙ローラ等からなる給紙機構３３とを主に備えている。
【００１７】
給紙部３では、給紙トレイ３１内の用紙Ｓが、用紙押圧板３２によって上方に設けられた給紙機構３３に寄せられる。そして用紙Ｓは、給紙機構３３によってプロセスカートリッジ１０に供給される。
【００１８】
露光器５は、本体ケーシング２内の上部に配置され、図示されないレーザ発光部やポリゴンミラー、レンズ、反射鏡などを備えている。この露光器５では、レーザ発光部から出射される画像データに基づくレーザ光（鎖線参照）が、プロセスカートリッジ１０の感光ドラム６１の表面で高速走査されることで、感光ドラム６１の表面を露光する。
【００１９】
プロセスカートリッジ１０は、本体ケーシング２の手前側のフロントカバー２Ａを適宜開放することで、本体ケーシング２に対して着脱可能となっている。このプロセスカートリッジ１０は、ドラムユニット６と現像カートリッジ７とで主に構成されている。
【００２０】
ドラムユニット６は、感光体の一例としての感光ドラム６１と、帯電器６２と、転写器の一例としての転写ローラ６３とを主に備えている。
【００２１】
感光ドラム６１は、筒状のドラム本体６１Ａと、ドラム本体６１Ａと一体に回転可能なドラム軸６１Ｂとを有している。ドラム本体６１Ａは、表面に、正帯電性の感光層を有している。ドラム軸６１Ｂは、金属製であり、接地されている。
【００２２】
帯電器６２は、感光ドラム６１に対向配置されている。帯電器６２は、帯電ワイヤ６２Ａと、帯電ワイヤ６２Ａと感光ドラム６１の間に設けられるグリッド電極６２Ｂとを有している。帯電器６２には、帯電電圧印加回路６２Ｃが接続されている。そして、帯電器６２は、帯電電圧印加回路６２Ｃにより所定の帯電電圧が印加されることで、帯電ワイヤ６２Ａからの放電によって感光ドラム６１の表面を一様に正極性に帯電させる。
【００２３】
転写ローラ６３は、ローラ本体６３Ａと、ローラ本体６３Ａと一体に回転可能な金属製のローラ軸６３Ｂとを有している。転写ローラ６３は、感光ドラム６１に対向配置されている。そして、ローラ軸６３Ｂには、印加回路１００が接続されている。転写ローラ６３は、印加回路１００により負極性の電圧が印加されることで、感光ドラム６１上のトナーを用紙Ｓに転写するようになっている。
【００２４】
現像カートリッジ７は、ドラムユニット６に対して着脱可能となっている。この現像カートリッジ７は、左右方向に沿って延びる現像ローラ１８と、供給ローラ１９と、層厚規制ブレード１４と、現像剤の一例としてのトナーを収容するトナー収容部１５とを主に備えている。
【００２５】
プロセスカートリッジ１０では、感光ドラム６１の表面が、帯電器６２により一様に正に帯電された後、露光器５からのレーザ光の高速走査によって露光される。これにより、感光ドラム６１の表面に、画像データに基づく静電潜像が形成される。また、トナー収容部１５内のトナーは、まず供給ローラ１９に供給され、正極性に帯電されて供給ローラ１９から現像ローラ１８に供給される。そして、現像ローラ１８の回転に伴って、現像ローラ１８と層厚規制ブレード１４の間に進入して一定厚さの薄層として現像ローラ１８上に担持される。
【００２６】
現像ローラ１８上に担持されたトナーは、現像ローラ１８から感光ドラム６１上に形成された静電潜像に供給される。これにより、静電潜像が可視像化され、感光ドラム６１上にトナー像が形成される。つまり、感光ドラム６１が、トナーを担持する。その後、感光ドラム６１と転写ローラ６３の間を用紙Ｓが搬送されることで感光ドラム６１上のトナー像が用紙Ｓ上に転写される。
【００２７】
定着器８は、プロセスカートリッジ１０の後方に配置され、プロセスカートリッジ１０でトナー像が形成された用紙Ｓを加熱する加熱ローラ８Ａと、この加熱ローラ８Ａを押圧する加圧ローラ８Ｂとを主に備えている。この定着器８では、用紙Ｓ上に転写されたトナー像を、用紙Ｓが加熱ローラ８Ａと加圧ローラ８Ｂとの間を通過する間に熱定着させている。トナー像が熱定着された用紙Ｓは、排紙ローラ２３や定着排紙ローラ２４によって排紙トレイ２２上に排出される。
【００２８】
次に、転写ローラ６３に電圧を印加するための構成について詳しく説明する。
図２に示すように、レーザプリンタ１は、転写ローラ６３に電圧を印加するための構成として、印加回路１００と、電流検出部１３０と、制御部２１０と、記憶手段の一例としてのメモリ２２０とを主に備えている。
【００２９】
印加回路１００は、第１印加部の一例としての転写バイアス印加回路１１０と、第２印加部の一例としての逆バイアス印加回路１２０とを有している。転写バイアス印加回路１１０と逆バイアス印加回路１２０は、転写ローラ６３のローラ軸６３Ｂに接続される接続ライン９０に、転写バイアス印加回路１１０、逆バイアス印加回路１２０の順序で直列に接続されている。
【００３０】
転写バイアス印加回路１１０は、帯電器６２の電圧と逆極性の電圧、つまり、負の電圧Ｖｔを発生し、この負の電圧Ｖｔを転写ローラ６３に印加する回路である。転写バイアス印加回路１１０は、転写バイアス昇圧回路７２及び第１ブリーダ抵抗７８を有している。
【００３１】
転写バイアス昇圧回路７２は、例えば、第１トランス７５、第１ダイオード７６及び第１平滑コンデンサ７７を有している。第１トランス７５の２次コイル７５Ａは、一端が、第１ダイオード７６を介して接続ライン９０に接続され、他端が、逆バイアス印加回路１２０の出力端に接続されている。第１平滑コンデンサ７７と第１ブリーダ抵抗７８は、それぞれ、第１トランス７５の２次コイル７５Ａに並列に接続されている。第１トランス７５の１次コイル７５Ｂには、制御部２１０のＰＷＭポート２１１から出力される信号Ｓ１に基づいた電流が流れるように構成されている。
【００３２】
このような構成により、転写バイアス印加回路１１０は、制御部２１０からの信号Ｓ１に基づく電圧Ｖｔを印加するようになっている。
【００３３】
逆バイアス印加回路１２０は、転写バイアス印加回路１１０に直列に接続され、帯電器６２の電圧と同極性の電圧、つまり、正の電圧Ｖｂを発生し、この正の電圧Ｖｂを転写ローラ６３に印加する回路である。逆バイアス印加回路１２０は、逆バイアス昇圧回路８２及び第２ブリーダ抵抗８８を有している。
【００３４】
逆バイアス昇圧回路８２は、例えば、第２トランス８５、第２ダイオード８６及び第２平滑コンデンサ８７を有している。第２トランス８５の２次コイル８５Ａは、一端が、第２ダイオード８６を介して転写バイアス印加回路１１０の２次コイル７５Ａの他端に接続され、他端が、電流検出部１３０に接続されている。第２平滑コンデンサ８７と第２ブリーダ抵抗８８は、それぞれ、第２トランス８５の２次コイル８５Ａに並列に接続されている。第２トランス８５の１次コイル８５Ｂには、制御部２１０のＰＷＭポート２１２から出力される信号Ｓ２に基づいた電流が流れるように構成されている。
【００３５】
このような構成により、逆バイアス印加回路１２０は、制御部２１０からの信号Ｓ２に基づく電圧Ｖｂを印加するようになっている。
【００３６】
以上のように印加回路１００が構成されることで、転写バイアス印加回路１１０で発生した電圧Ｖｔと逆バイアス印加回路１２０で発生した電圧Ｖｂを足した電圧が、転写ローラ６３に印加される。
【００３７】
電流検出部１３０は、印加回路１００とグランドの間に設けられている。電流検出部１３０は、例えば、抵抗Ｒｄから構成され、一端が、逆バイアス印加回路１２０に接続され、他端が、接地されている。
【００３８】
電流検出部１３０は、印加回路１００と抵抗Ｒｄの間の検出点Ｐｄから、検出点Ｐｄの電位を信号Ｓ３として、制御部２１０のＡ／Ｄポート２１３に送信するように構成されている。
【００３９】
制御部２１０は、例えば、ＣＰＵとメモリ２２０を備えて構成されている。また、制御部２１０は、転写バイアス印加回路１１０に信号Ｓ１を出力するＰＷＭポート２１１と、逆バイアス印加回路１２０に信号Ｓ２を出力するＰＷＭポート２１２と、印加回路１００と抵抗Ｒｄの間の電位が入力されるＡ／Ｄポート２１３とを備えている。メモリ２２０には、印加回路１００及び帯電電圧印加回路６２Ｃを制御するプログラム等が格納されている。そして、制御部２１０は、メモリ２２０に格納された各種プログラムに従って、印加回路１００及び帯電電圧印加回路６２Ｃの制御を行う。
【００４０】
次に、制御部２１０による印加回路１００及び帯電電圧印加回路６２Ｃの制御方法について説明する。
【００４１】
制御部２１０は、ユーザにより印字指令が入力されたとき、帯電電圧印加回路６２Ｃにより、帯電器６２に正の値の第１帯電電圧Ｖｃ１を印加するようになっている。また、制御部２１０は、帯電器６２に第１帯電電圧Ｖｃ１を印加した後、第１所定時間Ｐ１が経過したとき、帯電電圧印加回路６２Ｃにより、帯電器６２に正の値の第２帯電電圧Ｖｃ２を印加するようになっている。なお、第２帯電電圧Ｖｃ２は、第１帯電電圧Ｖｃ１よりも絶対値の大きな電圧である。
【００４２】
また、制御部２１０は、帯電器６２に第１帯電電圧Ｖｃ１を印加するとき、印加回路１００に流れる電流Ｉに基づく制御値で逆バイアス印加回路１２０から電圧Ｖｂを発生させる第２抑制制御を実行するようになっている。
【００４３】
具体的に、制御部２１０は、帯電器６２に第１帯電電圧Ｖｃ１が印加されてから第２所定時間Ｐ２が経過すると、第２抑制制御を実行する。第２抑制制御では、制御部２１０は、印加回路１００に流れる電流Ｉが第４所定値となるように、逆バイアス印加回路１２０の制御値を変更し、この制御値を信号Ｓ２として、逆バイアス印加回路１２０に出力する。なお、制御部２１０は、Ａ／Ｄポート２１３に入力される印加回路１００と抵抗Ｒｄの間の電位に基づく信号Ｓ３から、印加回路１００に流れる電流Ｉを取得するように構成されている。
【００４４】
ここで、本実施形態における第２所定時間Ｐ２は、回転する感光ドラム６１の表面のある部分が、帯電器６２に対向する位置から転写ローラ６３に対向する位置まで移動するのにかかる時間より長い時間である。なお、第２所定時間Ｐ２は、回転する感光ドラム６１の表面のある部分が、帯電器６２に対向する位置から転写ローラ６３に対向する位置まで移動するのにかかる時間より短い時間、例えば、ゼロであってもよい。本実施形態において、第４所定値は、ゼロである。
【００４５】
また、制御部２１０は、第２抑制制御の後、帯電器６２に第１帯電電圧Ｖｃ１を印加するとき、印加回路１００に流れる電流Ｉに基づく制御値で転写バイアス印加回路１１０から電圧Ｖｔを発生させる第１制御を実行するようになっている。そして、制御部２１０は、第１制御を開始するときに、逆バイアス印加回路１２０の制御値を固定する。
【００４６】
具体的に、制御部２１０は、第２抑制制御を実行した後、逆バイアス印加回路１２０の制御値が安定したら、第１制御を実行する。つまり、制御部２１０は、第２抑制制御を、帯電器６２に第１帯電電圧Ｖｃ１の印加を開始するとき、第１制御の前に実行する。逆バイアス印加回路１２０の制御値が安定したか否かは、印加回路１００に流れる電流Ｉの変動量が所定値未満である状態が第３所定時間Ｐ３続いたか否かや、逆バイアス印加回路１２０の制御値の変動量が所定値未満である状態が第３所定時間Ｐ３続いたか否かで判定することができる。また、制御部２１０は、第１制御を、第２抑制制御を実行した後、所定時間が経過したとき、実行してもよい。所定時間は、実験等により設定された第２抑制制御で印加回路１００に流れる電流Ｉが安定するのに十分な時間である。
【００４７】
制御部２１０は、第１制御を開始するとき、第２抑制制御で用いた逆バイアス印加回路１２０の制御値をメモリ２２０に記憶させる。つまり、制御部２１０は、第１制御を開始するとき、第２抑制制御で逆バイアス印加回路１２０が発生していた電圧Ｖｂをメモリ２２０に記憶させる。そして、制御部２１０は、印加回路１００に流れる電流Ｉが、第２所定値の一例としての所定電流値Ｉ１となるように、転写バイアス印加回路１１０の制御値を変更し、この制御値を信号Ｓ１として、転写バイアス印加回路１１０に出力する。
【００４８】
また、制御部２１０は、帯電器６２に印加させる帯電電圧を第１帯電電圧Ｖｃ１から第２帯電電圧Ｖｃ２に変化させたとき、転写バイアス印加回路１１０の制御値を固定し、印加回路１００に流れる電流Ｉに基づく制御値で、逆バイアス印加回路１２０に電圧Ｖｂを発生させる第１抑制制御を実行するようになっている。
【００４９】
制御部２１０は、第１抑制制御を開始するとき、第１制御で用いた転写バイアス印加回路１１０の制御値をメモリ２２０に記憶させる。つまり、制御部２１０は、第１抑制制御を開始するとき、第１制御で転写バイアス印加回路１１０が発生していた電圧Ｖｔをメモリ２２０に記憶させる。そして、制御部２１０は、逆バイアス印加回路１２０の制御値を、メモリ２２０が記憶している値に固定する。その後、制御部２１０は、印加回路１００に流れる電流Ｉが第１所定値となるように、逆バイアス印加回路１２０の制御値を変更し、この制御値を信号Ｓ２として、逆バイアス印加回路１２０に出力する。
【００５０】
なお、本実施形態において、第１所定値は、第２所定値と等しく、所定電流値Ｉ１である。
【００５１】
また、制御部２１０は、第１抑制制御の後、転写バイアス印加回路１１０の制御値を固定値から印加回路１００に流れる電流Ｉに基づく制御値に切り替え、逆バイアス印加回路１２０の制御値を固定する第２制御を実行するようになっている。
【００５２】
具体的に、制御部２１０は、第１抑制制御を実行した後、逆バイアス印加回路１２０の制御値が安定したら、第２制御を実行する。逆バイアス印加回路１２０の制御値が安定したか否かは、逆バイアス印加回路１２０の制御値の変動量が所定値未満である状態が第５所定時間Ｐ５続いたか否かで判定することができる。また、制御部２１０は、第２制御を、第１抑制制御を実行した後、所定時間が経過したとき、実行してもよい。所定時間は、実験等により設定された第１抑制制御で印加回路１００に流れる電流Ｉが安定するのに十分な時間である。
【００５３】
制御部２１０は、第２制御を開始するとき、第１抑制制御で用いた逆バイアス印加回路１２０の制御値をメモリ２２０に記憶する。つまり、制御部２１０は、第２制御を実行するとき、第１抑制制御で発生していた逆バイアス印加回路１２０の電圧Ｖｂをメモリ２２０に記憶する。そして、制御部２１０は、転写バイアス印加回路１１０の制御値を、メモリ２２０が記憶している値に固定する。その後、制御部２１０は、印加回路１００に流れる電流Ｉが第３所定値となるように、転写バイアス印加回路１１０の制御値を変更し、この制御値を信号Ｓ１として、転写バイアス印加回路１１０に出力する。
【００５４】
なお、本実施形態において、第３所定値は、第２所定値と等しく、所定電流値Ｉ１である。
【００５５】
以上のように構成されたレーザプリンタ１の作用及び効果について、図３のタイミングチャートを参照しながら説明する。なお、図３における表面電位とは、転写ローラ６３に対向する位置での感光ドラム６１の表面電位を示す。
【００５６】
ユーザにより印字指令が入力されると、まず、帯電器６２に第１帯電電圧Ｖｃ１が印加される（時刻ｔ１）。これにより、感光ドラム６１の表面が帯電する。感光ドラム６１の回転により、感光ドラム６１の帯電した部分が、転写ローラ６３に対向する位置に到達すると（時刻ｔ２）、感光ドラム６１上の電荷が、転写ローラ６３へ移動し始める。そのため、転写ローラ６３から印加回路１００に流入電流が流れ込み、検出点Ｐｄで電流Ｉが検出され始める。
【００５７】
帯電器６２に第１帯電電圧Ｖｃ１が印加され始めてから第２所定時間Ｐ２が経過すると（時刻ｔ３）、制御部２１０により第２抑制制御が実行され、逆バイアス印加回路１２０で正の値の電圧Ｖｂが発生し始める。これにより、印加回路１００から転写ローラ６３に正の値の電圧Ｖｔｒが印加され始める。逆バイアス印加回路１２０で発生する電圧Ｖｂは、徐々に絶対値の大きな電圧になっていき、これに伴って、転写ローラ６３に印加される電圧Ｖｔｒも大きくなっていく。これにより、転写ローラ６３と感光ドラム６１の表面との電位差が小さくなっていくので、感光ドラム６１上の電荷が転写ローラ６３に移動しづらくなっていく。そのため、印加回路１００に流れる電流Ｉが小さくなっていく。そして、印加回路１００に流れる電流Ｉがゼロになると（時刻ｔ４）、逆バイアス印加回路１２０で発生する電圧Ｖｂは、ほぼ一定になる。
【００５８】
印加回路１００に流れる電流Ｉがゼロになった後、逆バイアス印加回路１２０の制御値の変動量が所定値未満である状態が第３所定時間Ｐ３続くと（時刻ｔ５）、制御部２１０により第１制御が実行される。第１制御が実行されると、逆バイアス印加回路１２０で発生する電圧Ｖｂは、第１制御の実行開始時の値に固定される。そして、転写バイアス印加回路１１０で、逆バイアス印加回路１２０で発生している電圧Ｖｂより絶対値の大きい負の値の電圧Ｖｔが発生し始める。これにより、印加回路１００から転写ローラ６３に負の電圧Ｖｔｒが印加される。そして、印加回路１００に流れる電流Ｉが所定電流値Ｉ１になると、転写バイアス印加回路１１０が発生する電圧Ｖｔが、ほぼ一定になる。
【００５９】
このように、第１制御において、逆バイアス印加回路１２０に発生させる電圧Ｖｂを、第２抑制制御で発生させていた電圧に固定することで、流入電流を抑えながら、転写ローラ６３に印加する電圧Ｖｔｒを制御することができる。そのため、立ち上がり時の印加回路１００の動作が安定する。
【００６０】
帯電器６２に第１帯電電圧Ｖｃ１が印加されてから第１所定時間Ｐ１が経過すると（時刻ｔ６）、帯電器６２に印加される帯電電圧が、第１帯電電圧Ｖｃ１から第２帯電電圧Ｖｃ２に切り替わる。
【００６１】
帯電器６２に印加される帯電電圧が第１帯電電圧Ｖｃ１から第２帯電電圧Ｖｃ２に切り替わると、制御部２１０は、第１抑制制御を実行する。第１抑制制御が実行されると、転写バイアス印加回路１１０で発生する電圧Ｖｔは、第１抑制制御の実行開始時の値に固定される。
【００６２】
帯電器６２に第２帯電電圧Ｖｃ２が印加されているときに帯電された感光ドラム６１の表面電位は、帯電器６２に第１帯電電圧Ｖｃ１が印加されているときに帯電された感光ドラム６１の表面電位よりも高くなる。帯電器６２に印加される帯電電圧が切り替わったときに帯電器６２に対向していた感光ドラム６１の表面は、帯電器６２に印加される電圧が第１帯電電圧Ｖｃ１から第２帯電電圧Ｖｃ２に切り替わってから第４所定時間Ｐ４が経過したときに（時刻ｔ７）、転写ローラ６３に対向する位置へ移動する。
【００６３】
このとき、逆バイアス印加回路１２０で発生する電圧Ｖｂが上昇し始め、印加回路１００に流れる電流Ｉは、所定電流値Ｉ１に保たれる。これにより、感光ドラム６１の表面電位が高くなっても、印加回路１００に流入電流が流れ込むのを抑えることができる。
【００６４】
第１抑制制御を実行してから、逆バイアス印加回路１２０の制御値の変動量が所定値未満である状態が第５所定時間Ｐ５続くと（時刻ｔ８）、制御部２１０は、第２制御を実行する。第２制御が実行されると、逆バイアス印加回路１２０で発生する電圧Ｖｂは第２制御の実行開始時の値に固定される。そして、転写バイアス印加回路１１０で発生する電圧Ｖｔは、印加回路１００に流れるＩが所定電流値Ｉ１になるように、制御される。
【００６５】
このように、第２制御において、逆バイアス印加回路１２０に発生させる電圧Ｖｂを、第１抑制制御で発生させていた電圧に固定することで、流入電流を抑えながら、転写ローラ６３に印加する電圧Ｖｔｒを制御することができる。そのため、印加回路１００の動作が安定する。
【００６６】
以上のように、第１制御で転写バイアス印加回路１１０に電圧Ｖｔを発生させた後、帯電器６２に印加される電圧を第１帯電電圧Ｖｃ１から第２帯電電圧Ｖｃ２に切り替えたときに、第１抑制制御を実行してから第２制御を行うことで、感光ドラム６１の表面電位が変化することで再び生じる可能性のある流入電流を抑制し、安定して転写ローラ６３の電圧Ｖｔｒを制御することができる。
【００６７】
以上、本発明の実施形態について説明したが、本発明は前記実施形態に限定されるものではない。具体的な構成については、本発明の趣旨を逸脱しない範囲で適宜変更が可能である。
【００６８】
前記実施形態では、第４所定値を一例としてゼロとし、第２抑制制御において、印加回路１００に流れる電流Ｉがゼロとなるように逆バイアス印加回路１２０を制御したが、第４所定値はこれに限定されるものではない。例えば、第４所定値は、流入電流よりも小さいゼロ以外の値であってもよい。
【００６９】
前記実施形態では、第１所定値を一例として第２所定値と同じ所定電流値Ｉ１とし、第１抑制制御において、印加回路１００に流れる電流Ｉが所定電流値Ｉ１となるように逆バイアス印加回路１２０を制御したが、第１所定値はこれに限定されるものではない。例えば、第１所定値は、所定電流値Ｉ１に流入電流を足した値よりも小さい値であれば、所定電流値Ｉ１以外の値でもよい。
【００７０】
前記実施形態では、転写媒体として用紙Ｓを例示したが、転写媒体はこれに限定されるものではない。例えば、転写媒体は、中間転写ベルトであってもよい。
【００７１】
また、前記した各実施形態及び各変形例の各要素は、任意に組み合わせて実施することが可能である。
【符号の説明】
【００７２】
１      レーザプリンタ
６１    感光ドラム
６２    帯電器
６３    転写ローラ
１００  印加回路
１１０  転写バイアス印加回路
１２０  逆バイアス印加回路
２１０  制御部
２２０  メモリ
Ｒｄ    抵抗
Ｓ      用紙
【図１】
2018136425.tif 000003
【図２】
2018136425.tif 000004
【図３】
2018136425.tif 000005